(57)【特許請求の範囲】
【請求項１】
進退可能に設けられ、進出することにより版胴のギャップから版の版曲げ部を抜き取る版抜き取り手段と、
前記版抜き取り手段の近傍に回動可能に設けられ、当該版抜き取り手段で抜き取られた前記版の前記版曲げ部が係合したときに当該版の排出方向への移動に連れて回動して当該版の当該版曲げ部との係合を解除する版曲げ部案内手段と
を備えてなることを特徴とする版交換装置。
【請求項２】
前記版曲げ部案内手段が前記版抜き取り手段に設けられている
ことを特徴とする請求項１に記載の版交換装置。
【発明の詳細な説明】
【０００１】
【発明の属する技術分野】
本発明は、印刷機の版胴の版を交換する版交換装置に関する。
【０００２】
【従来の技術】
印刷機の版胴の版を交換する従来の版交換装置としては、例えば、特開平７−２９０６８８号公報に記載されたものがある。この版交換装置は、図６に示すように、版胴１３１に巻き付けられた版１３０を押圧ローラ７１で押えながら当該版１３０のくわえ尻１３０ｂを版胴１３１のギャップ１３１ａから外し（図６（ａ）参照）、当該版胴１３１を回転させて版１３０を版胴１３１から案内具７２上に送り出していき（図６（ｂ）参照）、版１３０のくわえ端１３０ａが版胴１３１のギャップ１３１ａから外れたら、当該版１３０を吸引保持装置７３で吸着保持し（図６（ｃ）参照）、この吸着保持装置で版１３０をさらに送り出すことにより、版胴１３１から版１３０を取り外すようにしている。なお、図６中、１３２はゴム胴である。
【０００３】
【発明が解決しようとする課題】
前述したようにして版胴１３１から版１３０を取り外す際、版１３０のくわえ端１３０ａが鋭角に曲折しているので、当該くわえ端１３０ａが版胴１３１のギャップ１３１ａから外れにくいだけでなく、版１３０をスムーズに機外に送り出しにくかった。
【０００４】
このため、版胴１３１のギャップ１３１ａから版１３０のくわえ端１３０ａを確実に取り外して、版１３０をスムーズに機外に送り出すことができる版交換装置が強く望まれていた。
【０００５】
【課題を解決するための手段】
前述した課題を解決するための、本発明による版交換装置は、進退可能に設けられ、進出することにより版胴のギャップから版の版曲げ部を抜き取る版抜き取り手段と、前記版抜き取り手段の近傍に回動可能に設けられ、当該版抜き取り手段で抜き取られた前記版の前記版曲げ部が係合したときに当該版の排出方向への移動に連れて回動して当該版の当該版曲げ部との係合を解除する版曲げ部案内手段とを備えてなることを特徴とする。
【０００６】
上述した版交換装置において、前記版曲げ部案内手段が前記版抜き取り手段に設けられていることを特徴とする。
【０００７】
【発明の実施の形態】
本発明による版交換装置を両面印刷機に適用した場合の実施の形態を図１〜４を用いて説明する。なお、図１は、その輪転印刷機の上方側の要部部材の概略構成図、図２は、その輪転印刷機の下方側の要部部材の概略構成図、図３は、図２の展開図、図４は、旋回プレートの構成図である。
【０００８】
図１に示すように、版１１０を取り付けられる版胴１１１には、ゴム胴１１２が対接している。一方、図２に示すように、版１２０を取り付けられる版胴１２１には、ゴム胴１２２が対接している。ゴム胴１１２の下方とゴム胴１２２の上方とは対接しており、当該ゴム胴１１２，１２２間をウエブ等が通過するようになっている。
【０００９】
つまり、版胴１１１，１２１の版１１０，１２０に図示しないインキ供給装置からインキをそれぞれ供給すると、版１１０，１２０の絵柄に対応したインキがゴム胴１１２，１２２にそれぞれ転写され、ゴム胴１１２，１２２間を通過するウエブ等の両面に絵柄を印刷することができるのである。
【００１０】
図１，２に示すように、版胴１１１，１２１には、版１１０，１２０の版曲げ部であるくわえ端１１０ａ，１２０ａおよびくわえ尻１１０ｂ，１２０ｂを保持するギャップ１１１ａ，１２１ａがそれぞれ設けられている。版胴１１１，１２１には、当該版胴１１１，１２１に版１１０，１２０を押え付ける押圧ローラ２６，４６がそれぞれ対接している。版胴１１１の近傍には、当該版胴１１１に版１１０を上面から案内する固定式のガイドプレート１０が設けられている。版胴１２１の近傍には、版１２０の通行を下面から案内する固定式のガイドプレート３０が設けられている。
【００１１】
図２に示すように、ガイドプレート３０の近傍には、版１２０を仮支持する支持アーム５１が設けられており、当該支持アーム５１は、図示しない駆動手段により、設定位置（図示の位置）と退避位置とに切り換えられ、不要な際に作業の邪魔とならないように格納することができるようになっている。
【００１２】
一方、図２，３に示すように、版胴１２１の近傍には、支持軸３１が当該版胴１２１の軸心方向に沿って長手方向を向けるようにして回転自在に支持されている。支持軸３１の一端側には、支持ブラケット３２の一端側が嵌合固定されており、当該支持軸３１の他端側にも、当該支持ブラケット３２と同様に支持ブラケットが取り付けられている。これら支持ブラケット３２は、版１２０の通行を上面から案内する版ガイドであるガイドプレート３３を背面から支持している。支持ブラケット３２の他端側には、エアシリンダ３４のロッド３４ａの先端側が回動可能に連結されている。エアシリンダ３４の基端は、フレームに回動可能に連結支持されている。
【００１３】
つまり、ガイドプレート３３は、エアシリンダ３４のロッド３４ａを伸長させると、前記ガイドプレート３０に対面して版１２０の通行を案内するように設定され（進出位置）、エアシリンダ３４のロッド３４ａを収縮させると、前記ガイドプレート３０から離反して版１２０の通行経路から退避する（退避位置）のである。
【００１４】
前記ガイドプレート３３の揺動する先端側には、版１２０の通行を滑らかにするガイドローラ３５が設けられている。ガイドプレート３３の両側端には、版１２０の幅方向のずれを規制する当て板３６が立設されている。ガイドプレート３３の背面の先端寄りには、支持軸３７が前記支持軸３１の軸心方向に沿って軸心を向けるようにして回転自在に支持されている。支持軸３７には、支持ブラケット３８の一端側が嵌合固定されている。支持ブラケット３８の他端側には、ガイドローラ３９が上記支持軸３７の軸心方向に沿った軸回りで回転できるように支持されており、当該ガイドローラ３９は、ガイドプレート３３に形成された穴部３３ａにより、支持軸３７の回転に伴って、ガイドプレート３３の背面側から正面側へ突出することができるようになっている。
【００１５】
前記支持軸３７のガイドプレート３３の幅方向外側端部には、支持ブラケット４０の中程が連結固定されている。支持ブラケット４０の前記支持軸３１側寄りには、エアシリンダ４１のロッド４１ａの先端が回動可能に連結されている。エアシリンダ４１の基端は、ガイドプレート３３の前記支持軸寄りに設けられた支持ブラケット４２に回動可能に連結支持されている。
【００１６】
つまり、エアシリンダ４１のロッド４１ａを収縮すると、支持ブラケット３８を介してガイドローラ３９をガイドプレート３３の正面側（進出位置）に突出（進出）させるように支持ブラケット４０を介して支持軸３７が回転し、エアシリンダ４１のロッド４１ａを伸長すると、支持ブラケット３８を介してガイドローラ３９をガイドプレート３３の背面側（退避位置）に没入（退避）させるように支持ブラケット４０を介して支持軸３７が回転するのである。
【００１７】
図２〜４に示すように、支持ブラケット４０のガイドプレート３３の先端側には、本体部４３ａの両端に脚部４３ｂを有するように略コ字型をなす旋回プレート４３の当該脚部４３ａが連結固定されている。
【００１８】
つまり、旋回プレート４３は、エアシリンダ４１のロッド４１ａの伸長時、ガイドプレート３３に対して本体部４３ａが所定の間隔をあけながら平行となるように当該ガイドプレート３３の正面側（退避位置）に位置し、エアシリンダ４１のロッド４１ａが収縮されると、本体部４３ａがガイドプレート３３の背面側（進出位置）に移動するように旋回（進出）するのである。
【００１９】
前記旋回プレート４３の本体部４３ａの進出位置への旋回方向先端側には、前記支持軸２７の軸回りと同じ方向の軸回りで回動可能な回動板４４が当該本体部４３ａの長手方向に沿って複数設けられており、当該回動板４４は、旋回プレート４３の進出位置から退避位置への旋回方向と同じ方向の回動において、回動不能とする限界位置（当初位置）が設定され、旋回プレート４３の退避位置から進出位置への旋回方向と同じ方向の回動において、上記当初位置へ復帰するようにばね４５で付勢されている。
【００２０】
また、図１に示すように、版胴１１１の近傍には、支持軸１１が当該版胴１１１の軸心方向に沿って長手方向を向けるようにして回転自在に支持されている。支持軸１１には、前記支持ブラケット３２と同様な支持ブラケット１２が固定されており、当該支持ブラケット１２は、版胴１１１へ版１１０を下面から案内する版ガイドであるガイドプレート１３を背面から支持している。支持ブラケット１２には、前記エアシリンダ３４と同様なエアシリンダ１４のロッド１４ａの先端側が回動可能に連結されている。
【００２１】
つまり、ガイドプレート１３は、前記ガイドプレート３３の場合と同様に、エアシリンダ１４のロッド１４ａを伸長させることにより、前記ガイドプレート１０に対面して版１１０の通行を案内するように設定され（進出位置）、エアシリンダ１４のロッド１４ａを収縮させることにより、前記ガイドプレート１０から離反して版１１０の通行経路から退避する（退避位置）のである。
【００２２】
前記ガイドプレート１３には、前記ガイドローラ３５および前記当て板３６と同様なガイドローラ３５および当て板１６が設けられている。また、ガイドプレート１３には、前記支持軸３７、前記支持ブラケット３８、前記ガイドローラ３９と同様な支持軸１７、支持ブラケット１８、ガイドローラ１９が設けられており、当該ガイドローラ１９は、前述したガイドローラ３９の場合と同様に、ガイドプレート１３の背面側から正面側へ突出できるようになっている。
【００２３】
前記支持軸１７には、前記支持ブラケット４０と同様な支持ブラケット２０を介して、前記エアシリンダ４１と同様なエアシリンダ２１のロッド２１ａの先端が回動可能に連結されている。エアシリンダ２１の基端は、前記支持ブラケット４２と同様にガイドプレート１３に設けられた支持ブラケット２２に回動可能に連結支持されている。
【００２４】
つまり、ガイドローラ１９は、前記ガイドローラ３９の場合と同様に、エアシリンダ２１のロッド２１ａの収縮により、ガイドプレート１３の正面側（進出位置）に突出（進出）し、エアシリンダ２１のロッド２１ａの伸長により、ガイドプレート１３の背面側（退避位置）に没入（退避）するのである。
【００２５】
さらに、支持ブラケット１８には、前記旋回プレート４３と同様な旋回プレート２３が連結固定されており、当該旋回プレート２３は、前記旋回プレート４３の場合と同様に、エアシリンダ２１のロッド２１ａの伸長時、ガイドプレート１３に対して本体部２３ａが所定の間隔をあけながら平行となるように当該ガイドプレート１３の正面側（退避位置）に位置し、エアシリンダ２１のロッド２１ａが収縮されると、本体部２３ａがガイドプレート１３の背面側（進出位置）に移動するように旋回（進出）するようになっている。
【００２６】
前記旋回プレート２３には、前記回動板４４および前記ばね４５と同様な回動板２４およびばね２５が設けられており、当該回動板２４は、前記回動板４４の場合と同様に、旋回プレート２３の進出位置から退避位置への旋回方向と同じ方向の回動において、回動不能とする限界位置（当初位置）が設定され、旋回プレート２３の退避位置から進出位置への旋回方向と同じ方向の回動において、上記当初位置へ復帰するようにばね２５で付勢されている。
【００２７】
なお、本実施の形態では、支持軸１７，３７、支持ブラケット１８，３８、ガイドローラ１９，３９、支持ブラケット２０，４０、エアシリンダ２１，４１、支持ブラケット２２，４２、旋回プレート２３，４３などにより版抜き取り手段が構成され、回動板２２，４２、ばね２５，４５などにより版曲げ部案内手段が構成されている。
【００２８】
このような構成を有する版交換装置を用いた版の取り外しを図５を用いて説明する。なお、図５は、その作用説明図である。ただし、版胴１１１側と版胴１２１側とでは、その向きが異なるだけでその作動が同一であるため、版胴１１１側を説明し、版胴１２１側の説明を省略する。
【００２９】
まず、エアシリンダ１４のロッド１４ａを伸長して、ガイドプレート１３をガイドプレート１０に対面させるように進出位置へ移動すると共に、エアシリンダ２１のロッド２１ａを伸長して、ガイドローラ１９をガイドプレート１３の背面側に没入させると同時に旋回プレート２３をガイドプレート１０，１３間となる前記退避位置に設定する（図１の実線で記載された状態）。
【００３０】
次に、版胴１１１のギャップ１１１ａから版１１０のくわえ尻１１０ｂを外し、押圧ローラ２６で版１１０を押え付けながら版胴１１１を回転させて版１１０を当該版胴１１１から旋回プレート２３の本体部２３ａとガイドプレート１３との間に通してガイドプレート１０，１３間に送り出していく（図５（ａ）参照）。
【００３１】
このようにして版胴１１１を送り出して、版胴１１１のギャップ１１ａが押圧ローラ２６の近傍にまで到達したら、押圧ローラ２６を版胴１１１から離反させるように退避させる一方、エアシリンダ２１のロッド２１ａを収縮すると、旋回プレート２３がガイドプレート１３の背面側へ旋回すると共に、ガイドローラ１９がガイドプレート１３の背面側から突出して、版１１０のくわえ端１１０ａを版胴１１１のギャップ１１１ａから抜き取るように当該版１１０の通行経路を移動させる（図５（ｂ）参照）。
【００３２】
このようにして版１１０のくわえ端１１０ａを版胴１１１のギャップ１１１ａから抜き取ったら、エアシリンダ２１のロッド２１ａを伸長することにより、版１１０のくわえ端１１０ａを旋回プレート２３の本体部２３ａとガイドプレート１３との間からガイドプレート１０，１３間に滑らかに通行できるように旋回プレート２３を前記退避位置に退避させる（図５（ｃ）参照）。
【００３３】
このとき、版胴１１１から取り外された版１１０が版胴１１１の外周面により図５（ｃ）に二点鎖線で示したように湾曲しているため、当該版１１０の送り出しの際に、当該版１１０のくわえ端１１０ａは、その形状から、旋回プレート２３の前記先端、すなわち、回動板２４に引っ掛かってしまう。しかしながら、当該回動板２４は、これによって引っ張られて回動し、版１１０のくわえ端１１０ａを旋回プレート２３に干渉させることなく排出方向へ案内した後、ばね２５の付勢力で当初位置に復帰する。これにより、版１１０はスムーズに送り出される。
【００３４】
したがって、このような版交換装置によれば、版１１０，１２０のくわえ端１１０ａ，１２０ａを版胴１１１，１２１のギャップ１１１ａ，１２１ａから確実に取り外すことができ、当該版１１０，１２０をスムーズに機外へ送り出すことができる。
【００３５】
【発明の効果】
本発明による版交換装置によれば、版のくわえ端を版胴のギャップから確実に取り外すことができ、版をスムーズに機外へ送り出すことができるので、作業者が直接取り外すような手間を省略することができ、作業効率を向上させることができると共に、作業にかかるコストを低減することができる。
【図面の簡単な説明】
【図１】本発明による版交換装置を両面印刷機に適用した場合の実施の形態の上方側の要部部材の概略構成図である。
【図２】本発明による版交換装置を両面印刷機に適用した場合の実施の形態の下方側の要部部材の概略構成図である。
【図３】図２の展開図である。
【図４】旋回プレートの構成図である。
【図５】作用説明図である。
【図６】従来の版交換装置の一例の説明図である。
【符号の説明】
１０，３０  ガイドプレート
１１，３１  支持軸
１２，３２  支持ブラケット
１３，３３  ガイドプレート
１４，３４  エアシリンダ
１４ａ，３４ａ  ロッド
１５，３５  ガイドローラ
１６，３６  当て板
１７，３７  支持軸
１８，３８  支持ブラケット
１９，３９  ガイドローラ
２０，４０  支持ブラケット
２１，４１  エアシリンダ
２１ａ，４１ａ  ロッド
２２，４２  支持ブラケット
２３，４３  旋回プレート
２３ａ，４３ａ  本体部
２３ｂ，４３ｂ  脚部
２４，４４  回動板
２５，４５  ばね
２６，４６  押圧ローラ
５１  支持アーム
１１０  １２０  版
１１０ａ，１２０ａ  くわえ端
１１０ｂ，１２０ｂ  くわえ尻
１１１，１２１  版胴
１１１ａ，１２１ａ  ギャップ
１１２，１２２  ゴム胴
【図１】
0003933802.tif 000002
【図２】
0003933802.tif 000003
【図３】
0003933802.tif 000004
【図４】
0003933802.tif 000005
【図５】
0003933802.tif 000006
【図６】
0003933802.tif 000007